(57)【要約】  外管及び内管の内部を流れるガスが前記外管の外部に漏洩するのを防止する二重配管装置を提供する。本実施例に係る二重配管装置（１０）は、外管（１１）と、この外管（１１）に内挿された内管（１２）とから構成された二重配管装置の内部を流れるガスＡの流量を調整する二重配管装置であって、内管（１２）の内部を流れるガス（Ａ）の流量を調整する流量調整弁（１３）と、この流量調整弁（１３）を支持し、外管（１１）及び内管（１２）を貫通する弁棒（１４）とを有すると共に、外管（１１）と内管（１２）との間に、ガスＡが外管（１１）の外に漏洩するのを防止する流体漏洩防止手段としてベローズ（１５）を含む流体漏洩防止手段（１６）を有する。ベローズ（１５）の一端を外管（１１）の内壁（１１ａ）に取り付けると共に、他端を弁棒（１４）に形成されたフランジ（１４ａ）に取り付けることで、内管（１２）の内部を流れるガス（Ａ）が外管（１１）の外部に漏洩するのを防止する。
2011506856.tif 000002
【特許請求の範囲】
【請求項１】
外管と、該外管に内挿された内管とから構成された二重配管装置の内部を流れる流体の流量を調整する二重配管装置であって、
前記外管または前記内管の内部を流れる流体の流量を調整する流量調整弁と、
該流量調整弁を支持し、前記外管及び前記内管を貫通する弁棒とを有すると共に、
ベローズ又は他の伸縮継手を含む流体漏洩防止手段を備え、
前記流体漏洩防止手段は、前記外管と前記内管との間の空間に備えられ、前記二重配管装置を流れる前記流体が、前記流体漏洩防止手段に直接接触しないようにし、前記流体が前記外管の外に漏洩するのを防止する二重配管装置。
【請求項２】
請求項１において、
前記ベローズは、一端が前記外管の内壁に取り付けられると共に、他端が前記弁棒に取り付けられる二重配管装置。
【発明の詳細な説明】
【技術分野】
【０００１】
本発明は、外管及び内管内を流通する流体の漏洩を防止する二重配管装置に関する。
【背景技術】
【０００２】
従来より、ガス源からタービンにガスなどの流体を通すための配管としては通常一重構造のものが使用されている。一方、配管の内側に他の配管を配置し、内側の配管（以下、内管）が外側の配管（以下、外管）に対して一定のすきまを保持した状態で内挿された二重配管構造のものがあり、外管及び内管の内部を供給源などの上流から送られた２種類のガスが通過して、所定の排出先などの下流に供給するようにしている（特許文献１）。
【０００３】
また、使用済核燃料処理施設や放射性廃棄物処理施設あるいは原子力発電施設などの配管系においても例えば二重配管構造のものが用いられる（特許文献２、３）。
【先行技術文献】
【特許文献】
【０００４】
【特許文献１】特許第３９７１６８３号公報
【特許文献２】特開平０９−５４１８９号公報
【特許文献３】特開２００３−２９４８８３号公報
【発明の概要】
【０００５】
しかしながら、従来の二重配管装置では、前記外管及び前記内管の内部を流れるガスの流量を調整する弁を外部から前記弁棒で操作する必要があるため、前記弁棒と前記外管との隙間からガスが漏洩する、という問題がある。
【０００６】
本発明は、前記問題に鑑み、外管及び内管の内部を流れるガスが前記外管の外部に漏洩するのを防止する二重配管装置を提供することを課題とする。
【０００７】
上述した課題を解決するための本発明の第１の態様は、外管と、該外管に内挿された内管とから構成された二重配管装置の内部を流れる流体の流量を調整する二重配管装置であって、前記外管または前記内管の内部を流れる流体の流量を調整する流量調整弁と、該流量調整弁を支持し、前記外管及び前記内管を貫通する弁棒とを有すると共に、前記外管と前記内管との間に、前記流体が前記外管の外に漏洩するのを防止するベローズ又は他の伸縮継手を含む流体漏洩防止手段を有する二重配管装置である。
【０００８】
本発明の第２の態様は、上記本発明の第１の態様において、前記ベローズは、一端が前記外管の内壁に取り付けられると共に、他端が前記弁棒に取り付けられる二重配管装置である。
【０００９】
上記態様によれば、外管と内管とから構成される二重配管装置において、前記外管または前記内管の内部を流れる流体の流量を調整する流量調整弁と、該流量調整弁を支持し、前記外管及び前記内管を貫通する弁棒とを有すると共に、前記外管と前記内管との間に、前記流体が前記外管の外に漏洩するのを防止するベローズ又は他の伸縮継手を含む流体漏洩防止手段を有しているため、前記外管及び前記内管の内部を流れるガスが前記外管の外部に漏洩するのを防止することができる。
【図面の簡単な説明】
【００１０】
【図１】本実施例に係る二重配管装置の構成を簡略に示す概略図である。
【図２】図１に示す二重配管装置の構成を模式的に示す図である。
【図３】本実施例に係る二重配管装置の他の構成を模式的に示す図である。
【発明を実施するための形態】
【００１１】
以下、この発明につき図面を参照しつつ詳細に説明する。なお、この実施例によりこの発明が限定されるものではない。
【実施例１】
【００１２】
本発明による実施例１に係る二重配管装置について、図面を参照して説明する。
図１は、本実施例に係る二重配管装置の構成を簡略に示す概略図であり、図２は、図１に示す二重配管装置の構成を模式的に示す図である。
図１、２に示すように、本実施例に係る二重配管装置１０は、外管１１と、この外管１１に内挿された内管１２とから構成された二重配管装置の内部を流れるガスＡの流量を調整する二重配管装置であって、内管１２の内部を流れるガスＡの流量を調整する流量調整弁１３と、この流量調整弁１３を支持し、外管１１及び内管１２を貫通する弁棒１４とを有すると共に、外管１１と内管１２との間に、ガスＡが外管１１の外に漏洩するのを防止するベローズ１５を含む流体漏洩防止手段１６を有するものである。
【００１３】
本実施例に係る二重配管装置１０においては、流体漏洩防止手段１６は、蛇腹状のベローズ１５と、そのベローズ１５の一端（図中上端）が外管１１の内壁１１ａに取り付けられる取付部１７ａと、弁棒１４に形成されたフランジ１４ａと、そのベローズ１５の他端（図中下端）がフランジ１４ａに取り付けられる取付部１７ｂと、弁棒１４と外管１１との間、弁棒１４と内管１２との間にガスの漏洩を防止するシール部１９とを有するものである。
【００１４】
流体漏洩防止手段１６のように、ベローズ１５の一端（図中上端）を外管１１の内壁１１ａに取り付けると共に、他端（図中下端）を弁棒１４に形成されたフランジ１４ａに取り付けることで、内管１２の内部を流れるガスＡが外管１１の外部に漏洩するのを防止することができる。
【００１５】
ベローズ１５を外管１１と内管１２の間の空間に設けることで、内管１２内を流れるガスＡが直接ベローズ１５に接触することが無いため、内管１２内を極端に過酷な条件のガスが流れる場合であってもベローズ１５の耐久性が損なわれるのを防ぎ、安全性を高めることができる。
【００１６】
本実施例では、ベローズ１５は外管１１の内壁１１ａ、フランジ１４ａとの取付部１７ａ、１７ｂで例えば溶接して接合するようにしているが、ベローズ１５の取り付け方法は、特にこれに限定されるものではなく、ボルト締めなど他の取り付け方法を用いてもよい。
【００１７】
ベローズ１５の下端は、フランジ１４ａを介して弁棒１４に取り付けるようにしているが、本発明はこれに限定されるものではなく、図３に示すように、ベローズ１５の他端（図中下端）を弁棒１４に直接取り付け、弁棒１４に取付部１７ｂを有するようにしてもよい。
【００１８】
本実施例に係る二重配管装置１０においては、弁棒１４を介して流量調整弁１３を上下に移動する弁調整機構１８を有しており、外管１１及び内管１２内を流れるガスＡの流量を調整する。これにより例えばガスタービン設備などの図示しないガス供給源から所定の排出先に向けて供給されるガスＡの流量を調整することができる。
【００１９】
ガスＡは、外管１１及び内管１２により供給される気体または液体からなる流体であり、例えば高温ガス炉から出る熱で高温に熱せられ、タービンに供給される窒素ガス、アルゴンガス等からなる不活性ガスなどの危険性のないガスや液体などがある。
【００２０】
外管１１、内管１２の材質は、通過するガスＡの性質や周囲の環境に合わせて適宜に選択すればよく、例えば、鉄鋼管、ステンレス管、鉄管、樹脂管、内面を樹脂でコーティングした鉄管などがある。
【００２１】
本実施例に係る二重配管装置１０においては、流体漏洩防止手段１６に蛇腹状のベローズ１５を用いているが、本発明は弁棒１４の上下運動を吸収でき、密閉性を有する伸縮性のものであればよく、ベローズに限定するものでは無い。
【００２２】
本実施例に係る二重配管装置１０においては、弁棒１４と外管１１との間、弁棒１４と内管１２との間にシール部１９を設け、ガスシールを行っている。シール部１９では、例えばグランドパッキンなどを行う。これにより、外管１１から内管１２へのガスＡの流入を抑制することができると共に、ベローズ１５が破損した場合でも、外管１１及び内管１２の内部を流れるガスＡが外管１１の外部に漏洩するのを最小限に抑えることができる。
【００２３】
本実施例に係る二重配管装置によれば、外管１１と、この外管１１に内挿された内管１２とから構成された二重配管装置の内部を流れるガスＡの流量を調整する二重配管装置であって、内管１２の内部を流れるガスＡの流量を調整する流量調整弁１３と、この流量調整弁１３を支持し、外管１１及び内管１２を貫通する弁棒１４とを有すると共に、外管１１と内管１２との間に、ガスＡが外管１１の外に漏洩するのを防止するベローズ１５を含む流体漏洩防止手段１６を設けているため、内管１２の内部を流れるガスＡが外管１１の外部に漏洩するのを防止することができる。
【００２４】
ベローズ１５は外管１１と内管１２の間の空間に設けられ、しかも内管１２内を流れるガスＡが直接ベローズ１５に接触することが無いため、内管１２内を極端に過酷な条件のガスが流れる場合であってもベローズ１５の耐久性が損なわれることが無く、安全性が高い。更に、ベローズ１５が損傷しても、弁棒１４が外管１１を貫通している部分にもシール部１９が設けられているため、外部への流体の流出の危険性は極めて少なくすることができる。
【００２５】
本実施例に係る二重配管装置１０においては、ベローズ１５は高温高圧に耐えられるものとする。本実施例に係る二重配管装置１０の配管は、二重構造であるため、高温高圧条件下において使用することができ、例えば高温ガス炉から出る熱で高温に熱せられた窒素ガス、アルゴンガス等からなる不活性ガスをタービンに供給する高温ガス炉の配管として使用することができる。このとき、外管１１、内管１２内が例えば９ＭＰａ程度の高圧となり、外管１１と内管１２との間のガス温度は例えば２００℃程度、内管１２内部の温度は例えば５００℃程度の高温条件となる。
【００２６】
本実施例に係る二重配管装置１０が高温ガス炉の配管に用いる場合には、ベローズ１５を高温高圧に耐えられるようにすることで、外管１１及び内管１２の内部を流れるガスＡが外管１１の外部に漏洩するのを防止することができる。
【００２７】
本実施例に係る二重配管装置１０においては、弁棒１４と外管１１との間、弁棒１４と内管１２との間の両方にシール部１９を設けているが本発明はこれに限定されるものではなく、弁棒１４と外管１１との間、弁棒１４と内管１２との間の何れか一方にのみにシール部１９を設けるようにしてもよい。
【００２８】
本実施例において用いられる二重配管装置は、例えば高温ガス炉の配管に限定されるものではなく、二重配管からなる配管構造であればよく、本発明は、原子炉圧力容器、循環ポンプ、バルブ類など他の蒸気タービンやガスタービン設備にも用いることができる。
【産業上の利用可能性】
【００２９】
以上のように、本発明に係る二重配管装置は、外管と内管とから構成される二重配管装置において、前記外管と前記内管との間に、前記流体が前記外管の外に漏洩するのを防止するベローズを設けることで、前記外管または前記内管の内部を流れる流体が前記外管の外部に漏洩するのを防止することができるため、前記外管と前記内管との二重構造からなる二重配管装置に用いて適している。
【符号の説明】
【００３０】
１０  二重配管装置
１１  外管
１１ａ  内壁
１２  内管
１３  流量調整弁
１４  弁棒
１４ａ  フランジ
１５  ベローズ
１６  流体漏洩防止手段
１７ａ、１７ｂ  取付部
１８  弁調整機構
１９  シール部
Ａ  ガス
【図１】
2011506856.tif 000003
【図２】
2011506856.tif 000004
【図３】
2011506856.tif 000005
【国際調査報告】
2011506856.tif 000006
2011506856.tif 000007